(57)【要約】      （修正有）【課題】メンテナンスも容易で、且つ植付ケースのオイルシール構造も簡略化可能な、移植機の植付作業機を提供する。【解決手段】植付ケース２２の後面側に開口部を有するように成形されて前側が支持部材に支持された前後方向の筒状部材２９及び該開口部を閉塞する着脱可能な閉塞蓋３１とによって前記植付ケース２２の少なくとも一部を構成し、植付ケース２２から植付爪への動力伝動を断続する植付クラッチと、植付クラッチを断続作動させる切換部材６１と、植付爪が所定姿勢になっていない場合には植付クラッチの切断作動を規制する規制ピン７２とを植付ケース２２側に設けた移植機の植付作業機において、植付クラッチを筒状部材２９の後部に配置し、前記規制ピン７２及び切換部材６１を、閉塞蓋３１側又は筒状部材２９の上面後端部側に設ける。【選択図】図３
2010193774.tif 000002
【特許請求の範囲】
【請求項１】
苗載せ台（１６）の下側に配置された支持部材（１４）と、該支持部材（１４）によって前側が支持された前後方向の植付ケース（２２）と、植付ケース（２２）の後部側に取付けられて苗載せ台（１６）の苗を掻き取って圃場に植付ける植付爪（２３）とを設け、後面側に開口部（２９ａ）を有するように成形されて前側が前記支持部材（１４）に支持された前後方向の筒状部材（２９）及び該開口部（２９ａ）を閉塞する着脱可能な閉塞蓋（３１）とによって前記植付ケース（２２）の少なくとも一部を構成し、植付ケース（２２）から植付爪（２３）への動力伝動を断続する植付クラッチ（５８）と、植付クラッチ（５８）を断続作動させる切換部材（６１）と、植付爪（２３）が所定姿勢になっていない場合には植付クラッチ（５８）の切断作動を規制する規制ピン（７２）とを植付ケース（２２）側に設けた移植機の植付作業機において、植付クラッチ（５８）を筒状部材（２９）の後部に配置し、前記規制ピン（７２）及び切換部材（６１）を、閉塞蓋（３１）側又は筒状部材（２９）の上面後端部側に設けた移植機の植付作業機。
【請求項２】
ワイヤー（７３）を切換部材（６１）側に連結し、ワイヤー（７３）の引操作によって植付クラッチ（５８）が切断作動されるように切換部材（６１）を構成し、ワイヤー（７３）の引操作荷重を設定する圧縮スプリング（７８）を前記ワイヤー（７３）側に設けた請求項１の移植機の植付作業機。
【請求項３】
規制ピン（７２）を筒状部材（２９）の上面後端部側に設けるとともに、切換部材（６１）を閉塞蓋（３１）側に配置した請求項１又は２の移植機の植付作業機。
【発明の詳細な説明】
【技術分野】
【０００１】
この発明は、苗載せ台の下側に配置された支持部材側に前後方向の植付ケースの前側を支持し、苗載せ台の苗を掻き取って圃場に植付ける植付爪が上記植付ケースの後部側に取付支持され、植付爪への動力伝動を断続する植付クラッチと、植付クラッチを断続作動させる切換部材とを植付ケース側に設けた移植機の植付作業機に関する。
【背景技術】
【０００２】
苗載せ台の下側に配置された支持部材と、該支持部材によって前側が支持された前後方向の植付ケースと、植付ケースの後部側に取付けられて苗載せ台の苗を掻き取って圃場に植付ける植付爪とを設け、後面側に開口部を有するように成形されて前側が前記支持部材に支持された前後方向の筒状部材及び該開口部を閉塞する着脱可能な閉塞蓋とによって前記植付ケースを構成し、植付ケースから植付爪への動力伝動を断続する植付クラッチと、植付クラッチを断続作動させる切換部材とを植付ケース側に設けた移植機の植付作業機が従来公知である。
【０００３】
このような移植機の植付作業機では、植付クラッチが切断されて植付爪が駆動停止された非作業時に、植付爪に近接する他の機器が駆動されて植付爪に接触したり、走行中に植付爪が圃場に接触したりすること等を防止するため、植付爪が上記非作業時には収納姿勢等の所定姿勢に切換えられていることが望ましい。そして、このような観点から、植付爪が所定姿勢になっていない場合には植付クラッチの切断作動を規制する規制ピンを植付ケース側に設けた特許文献１に示す移植機の植付作業機が開発され公知になっている。
【先行技術文献】
【特許文献】
【０００４】
【特許文献１】特開平１１−２９９３１４号公報
【発明の概要】
【発明が解決しようとする課題】
【０００５】
上記文献の移植機の植付作業機では、支持部材に支持された筒状部材の前側に植付クラッチ、規制ピン及び切換部材が配置されているが、筒状部材の前側箇所には、通常支持部材に支持された苗載せ台や他の部材が近接しているため、規制ピン、切換部材及び植付クラッチ等のメンテナンス等の作業を行う際に、近接している他の部材が邪魔になり、効率的な作業を行うことが困難な場合があるという課題がある。
【０００６】
くわえて、支持部材の下面前端部に穿設された取付孔を介して規制ピンが筒状部材の外側から内部に向かって挿通固定されており、筒状部内にオイルを封入する際には、オイルシール等の機構が複雑になり、製造コストが高くなるという課題もある。
本発明は、上記課題を解決し、苗載せ台の下側に配置された支持部材側に前後方向の植付ケースの前側を支持し、苗載せ台の苗を掻き取って圃場に植付ける植付爪が上記植付ケースの後部側に取付支持され、植付爪への動力伝動を断続する植付クラッチと、植付クラッチを断続作動させる切換部材とを植付ケース側に設け、植付爪が伝動切断時に所定姿勢で係止される移植機の植付作業機において、メンテナンスも容易で且つ植付ケースのオイルシール構造も簡略化可能な移植機の植付作業機を提供することを目的とする。
【課題を解決するための手段】
【０００７】
上記目的を達成するため本発明の移植機の植付作業機は、第１に、苗載せ台１６の下側に配置された支持部材１４と、該支持部材１４によって前側が支持された前後方向の植付ケース２２と、植付ケース２２の後部側に取付けられて苗載せ台１６の苗を掻き取って圃場に植付ける植付爪２３とを設け、後面側に開口部２９ａを有するように成形されて前側が前記支持部材１４に支持された前後方向の筒状部材２９及び該開口部２９ａを閉塞する着脱可能な閉塞蓋３１とによって前記植付ケース２２の少なくとも一部を構成し、植付ケース２２から植付爪２３への動力伝動を断続する植付クラッチ５８と、植付クラッチ５８を断続作動させる切換部材６１と、植付爪２３が所定姿勢になっていない場合には植付クラッチ５８の切断作動を規制する規制ピン７２とを植付ケース２２側に設けた移植機の植付作業機において、植付クラッチ５８を筒状部材２９の後部に配置し、前記規制ピン７２及び切換部材６１を、閉塞蓋３１側又は筒状部材２９の上面後端部側に設けたことを特徴としている。
【０００８】
第２に、ワイヤー７３を切換部材６１側に連結し、ワイヤー７３の引操作によって植付クラッチ５８が切断作動されるように切換部材６１を構成し、ワイヤー７３の引操作荷重を設定する圧縮スプリング７８を前記ワイヤー７３側に設けたことを特徴としている。
【０００９】
第３に、規制ピン７２を筒状部材２９の上面後端部側に設けるとともに、切換部材６１を閉塞蓋３１側に配置したことを特徴としている。
【発明の効果】
【００１０】
以上のように構成される本発明の移植機の植付作業機によれば、筒状部材の下面側に規制ピンや切換部材等の取付孔を穿設する必要がないため、植付ケース内のオイルが漏れ出すことを防止するオイルシール等の機構を簡略化できるとともに、苗載せ台等の他の部材からの干渉を受けることが少ない筒状部材の後側に切換部材及び閉塞蓋を設けるため、メンテナンスが容易になるという効果がある。
【００１１】
また、ワイヤーを切換部材側に連結し、ワイヤーの引操作によって植付クラッチが切断作動されるように切換部材を構成し、ワイヤーの引操作荷重を設定する圧縮スプリングを前記ワイヤー側に設けることにより、ワイヤーの引操作荷重を設定するのに引張スプリングを用いた場合と比較して、荷重設定が容易になるという効果がある。
【００１２】
さらに、規制ピンを筒状部材の上面後端部側に設けるとともに、切換部材を閉塞蓋側に配置することにより、閉塞蓋を取外して開口部から規制ピンを視認して作業を行うことが可能になるため、規制ピンの位置調整を容易に行うことができるという効果がある。
【図面の簡単な説明】
【００１３】
【図１】本発明の移植機の植付作業機を適用した乗用田植機の全体側面図である。
【図２】植付作業機の要部を示す背面側斜視図である。
【図３】植付ケースの内部構造を示す側面図である。
【図４】植付クラッチ、切換部材及び規制機構の構成を示す植付クラッチの接続状態時の要部背面図である。
【図５】植付クラッチ、切換部材及び規制機構の構成を示す植付クラッチの切断状態時の要部背面図である。
【発明を実施するための形態】
【００１４】
以下図示する例に基づき本発明の実施形態について説明する。
図１は、本発明の移植機の植付作業機を適用した乗用田植機の全体側面図である。本乗用田植機は、左右一対の前輪１，１及び後輪２，２によって支持された走行機体３と、走行機体３の後方に配置された植付作業機４とを備え、植付作業機４は昇降リンク６を介して走行機体３に昇降自在に連結されている。走行機体３と植付作業機４の間には圧油の供給・排出によって伸縮作動する昇降シリンダ７が設置され、該昇降シリンタ７の伸縮によって植付作業機４が走行機体３に対して昇降駆動される。
【００１５】
上記走行機体３の前側のエンジン（図示しない）を収容するボンネット８の後方にはオペレータが乗込む操縦部９が設置され、この操縦部９におけるオペレータが着座する座席１１の前方にはステアリングハンドル１２及び前後進操作を行う走行レバー１３が設けられている。エンジンの動力は、走行機体３の下面側に固定設置（固設）されたミッションケース内のトランスミッション（図示しない）を介して前後輪１，２に変速伝動される。
【００１６】
上記植付作業機４は、主フレームをなす左右方向の角柱状部材である横フレーム（支持部材）１４と、横フレーム１４の真後ろ側から前方に向かって上方に急傾斜するように突設されて背面側に苗を載置する苗載せ台１６と、苗載せ台１６の下方に配置された植付部１７及びフロート１８とを備えている。
【００１７】
苗載せ台１６は、苗載せ台１６の下部側に位置する横フレー１４に対して上下位置調整可能に支持されている。フロート１８は、前後方向に形成され、左右方向に複数並列配置されており、フロート支持機構２１を介して横フレーム１４に上下位置調整可能に支持されている。ちなみに、フロート１８を圃場面に接地させて植付部１７による植付作業を行うため、フロート１８の上下位置調整によって植付深さが変更される。植付部１７は、左右方向に複数並列配置されており、そのそれぞれが前後方向に形成された植付ケース２２及び植付ケース２２の左右側面後部に設置された植付爪２３を備えている。
【００１８】
そして、植付作業機４への動力伝動について説明すると、ミッションケースから突出してエンジン動力が変速伝動される作業側ＰＴＯ軸に、一又は複数の伝動軸（図示しない）及びユニバーサルジョイント（図示しない）を介して作業側伝動軸２４が動力伝動可能に連結され、この作業側伝動軸２４の後端部が、ユニバーサルジョイント（図示しない）を介して横フレーム１４上面側に軸回りに回転自在に支持された前後方向の入力軸２６（図２参照）に動力伝動可能に連結されている。ちなみに、エンジン動力は、ミッションケース内に設定された作業機クラッチによって、作業側ＰＴＯ軸に断続伝動される。すなわち、作業機クラッチの入切によって、作業側ＰＴＯ軸を駆動又は駆動停止させる。これらの作業側ＰＴＯ軸、伝動軸、ユニバーサルジョイント、作業側伝動軸２４及び入力軸２６によって、植付作業機４側に走行機体３側のエンジン動力が変速伝動される。
【００１９】
次に、図１乃至５に基づき、植付作業機４の構成について詳述する。
図２は、植付作業機の要部を示す背面側斜視図であり、図３は、植付ケースの内部構造を示す側面図である。横フレーム１４の左右方向中央部は、前後方向のローリング軸２７を介して、昇降リンク６に左右傾斜自在（ローリング自在）に支持されている。横フレーム１４にはブラケット２８を介して植付ケース２２の前端部が支持固定されている。
【００２０】
詳細を説明すると、各植付ケース２２が、前後方向に延びる背断面視方形状の筒状部材２９と、筒状部材２９の後面側に穿設されて筒状部材２９の内部と外部とを蓮通させる開口部２９ａ（図４，５参照）を閉塞する方形板状の閉塞蓋３１とによって構成されており、この複数の筒状部材２９の前端部が、横フレーム１４の後面及び下面から一体的に後方斜め下方に延設された前述のブラケット２８によって、各別に横フレーム１４に強固に取付固定されている。ちなみに、筒状部材２９は、鋳造等の型成形によって一体的に形成されているが、左右一対の半割片を一体成形してそれらを互いに接合させてもよく、その内部には伝動機構用のオイルが封入されている。くわえて、閉塞蓋３１は、筒状部材２９の後面にボルト等によって着脱自在に取付固定されている。
【００２１】
上述の入力軸２６の中途部及び後部は、横フレーム１４の進行方向右（右）側中途部に固設された作業側入力ケース３２内に収容支持されており、横フレーム１４の入力軸２６側端部（右端部）側には上下方向の伝動ケース３３が固設されている。
【００２２】
この作業側入力ケース３２と伝動ケース３３との間には左右方向の作業側駆動軸３４が軸回りに前後回転自在に架設支持されている。くわえて、作業側入力ケース３２から後方に一体的に延設された支持体３６と伝動ケース３３との間には、作業側駆動軸３４の後方斜め下方に位置した状態で、左右方向の横送り軸３７が軸回りに前後回転自在に支持されている。さらに、横送り軸３７の下方には、左端の植付ケース２９から右端の植付ケース２２に至り一方側（図示する例では右側）の端部が伝動ケース３３内に挿入される左右方向の植付伝動軸３８が配置されている。
【００２３】
上記横送り軸３７への変速伝動は、上記伝動ケース３３内における上記作業側駆動軸３４と横送り軸３７との間に設けられた変速機構４１によって行われる。この変速機構４１は、伝動ケース３３内における作業側駆動軸３４と横送り軸３７との間に軸回りに回転自在に支持された左右方向の中間軸４２と、作業側駆動軸３４と一体回転するように作業側駆動軸３４に軸方向にスライド可能に支持された伝動ケース３３内の複数の入力ギヤ４３と、横送り軸３７と一体回転して対応する上記入力ギヤ４３とそれぞれ噛合う伝動ケース３３内の複数の出力ギヤ４４と、中間軸４２の動力を横送り軸３７に伝動する伝動ギヤ４６とを備えている。
【００２４】
そして、左右方向のシフトロッド４８を軸方向にスライド操作することにより、連結体４７を介してシフトロッド４８に連結された上記複数の入力ギヤ４３を左右スライド移動させ、噛合う入力ギヤ４３と出力ギヤ４４の組合せを変更し、作業側駆動軸３４から横送り軸３７への動力の変速操作を行う。
【００２５】
横送り軸３７の外周には軸方向にスライド自在に筒状の移動体４９が支持されている。この移動体４９は、横送り軸３７の外周に形成されたガイド溝３７ａによってスライド案内される。具体的には横送り軸３７が軸回り一方側又は他方側に回転駆動されると、移動４９体がガイド溝３７ａの形成範囲内で左右に往復スライド移動し、移動体４９に連結部材（図示しない）を介して連結された上述の苗載せ台１６を一体的に左右スライド移動させる。すなわち、横送り軸３７、移動体４９及び連結部材等によって苗載せ台１６を植付部１７に対して左右方向に横送りする横送り機構を構成している。
【００２６】
また、横送り軸３７の伝動ケース２２と反対側の端部には、横送り軸３７と一体回転する当接体５１が取付固定されている。この当接体５１は、苗載せ台１６の左右スライド端である左右のストロークエンドにおいて、苗載せ台１６側の縦送り機構（図示しない）を作動させ、苗載せ台１６上の苗を下方に移動させる。ちなみに、縦送り機構については、従来公知のものを用いるため、説明を割愛する。
【００２７】
上記横送り機構によって苗載せ台１６の下端部の苗が左右全体に亘り複数の植付部１７によって掻き取られて圃場に植付けられるとともに、縦送り機構によって苗載せ台１６の下端部に上方の苗が送られるため、苗載せ台１６上に載置した苗が順次、圃場に植付けられていく。
【００２８】
上記植付伝動軸３８への動力伝動は、作業側駆動軸３４の動力を植付伝動軸３８に伝動する伝動ケース３３内の伝動チェーン５２によって行われる。この植付伝動軸３８は、複数の左右方向の軸同士を連結固定することにより一体回転する単一の軸を構成し、各筒状部材２９の前部両側面を貫くようにして左右並列配置された複数の筒状部材２９に挿通支持されている。
【００２９】
また、各筒状部材２９の後部には左右方向の植付軸５３が、左右突出状態で、軸回りに前後回転自在に挿通支持されている。この植付軸５３には上述の植付爪２３が設置されており、植付爪２３は、上述した植付軸５３の回転によって、苗載せ台１６から苗を掻き取る掻取姿勢と、掻き取った苗を圃場に植付ける植付姿勢と、植付ケース２２に沿って収納される収納姿勢とに切換えられる。
【００３０】
各筒状部材２９の内部前側には植付伝動軸３８と一体回転するように植付伝動軸３８に取付固定される主動スプロケット５４が配置される一方で、内部後側には植付軸５３に対して軸回りに前後回転自在に（遊転状態で）支持される従動スプロケット５６が配置されている。そして、筒状部材２９の内部には、筒状部材２９内の前後全体に亘り環状に形成されて主動スプロケット５４と従動スプロケット５６に巻き掛けられて主動スプロケット５４から従動スプロケット５６に動力を伝動する植付チェーン５７が設置されている。植付ケース２２内の従動スプロケット５６の動力は、植付クラッチ５８（図４，５参照）によって、植付軸５３に断続伝動されて、各植付ケース２２毎の植付爪２３を駆動・駆動停止させる。
【００３１】
すなわち、各植付ケース２２内の植付クラッチ５８が接続されている際に、植付伝動軸３８に動力が伝動されて植付伝動軸３８が前後回転駆動されると、植付爪２３が駆動され、苗載せ台１６上の苗を掻き取って圃場に植付ける植付作業機が行われる。
【００３２】
次に、図３乃至５に基づき植付クラッチの詳細について説明する。
図４は、植付クラッチ、切換部材及び規制機構の構成を示す植付クラッチの接続状態時の要部背面図であり、図５は、植付クラッチ、切換部材及び規制機構の構成を示す植付クラッチの切断状態時の要部背面図である。各筒状部材２９の内側後端部には植付クラッチ５８が設けられ、筒状部材２９上面側には植付クラッチ５８の切作動を規制する規制機構５９が配置され、閉塞蓋３１には植付クラッチ５８を断続作動させる切換部材６1が設置されている。くわえて、切換部材６１は連係機構６２を介して操作レバー（図示しない）に連結されており、操作レバーの揺動操作によって植付クラッチ５８の断続操作（入切操作）が行われる。
【００３３】
上記植付クラッチ５８は、主に、筒状部材２９内における植付軸５３の同心軸上に配置されて左右方向に延びる筒状に成形された左右の一対の分割片６３，６４によって構成されている。左右の分割片６３，６４の内、従動スプロケット５６に近い側（図示する例では右側）のものが、従動スプロケット５６と一体回転するとともに植付軸５３に対して軸回りに前後回転自在に（遊転状態で）植付軸５３に支持された上流側分割片６４になり、他方側が植付軸５３と一体で軸回りに前後回転するとともに植付軸５３の軸方向にスライド可能に植付軸５３に支持された下流側分割片６３になる。
【００３４】
一対の分割片６３，６４の対向端部６３ａ，６４ａは、それぞれ互いに凹凸嵌合（係合）可能な形状に形成されている。このため、下流側分割片６３が上流側分割片側６４側にスライドして上記左右の分割片６３，６４が一体回転するように対向端部６３ａ，６４ａ同士を嵌合させることにより、図４に示すように、植付クラッチ５８が接続状態（入状態）になり、従動スプロケット５６の動力が植付軸５３に伝動される一方で、下流側分割片６３を上流側分割片６４から離間する側にスライドして上記左右の分割片６３，６４が各別に回転するように対向端部６３ａ，６４ａによる嵌合を解除させることにより、図５に示すように、植付クラッチ５８のが切断状態（切状態）になり、従動スプロケット５６から植付軸５３への動力伝動が切断される。
【００３５】
また、筒状部材２９内の下流側分割片６３の対向端部６３ａと反対側の端部には、フランジ状に外方に突出して側面視円形状をなす作動部６６が一体的に延設されている。植付軸５３には、作動部６６と筒状部材２９の内面側との間に位置した状態で、圧縮スプリング（弾性部材）６７が外装されており、この圧縮スプリング６７によって、植付クラッチ５８が接続作動側に常時付勢されている。
【００３６】
上記切換部材６１は、閉塞蓋３１に穿設された前後方向の取付孔（図示しない）に挿通されて閉塞蓋に軸回りに回動可能に支持される前後方向の切換軸６８と、切換軸６８の前端部から上側に突出して切換軸６８と一体で左右揺動する閉塞蓋３１内面（前面）側の作動アーム６９と、切換軸６８の後端部から左右の一方側（図示する例では右側）に一体的に突出して切換軸６８と一体で上下揺動する閉塞蓋３１外面（後面）側の操作アーム７１とを備えている。上記作動アーム６９の突出端部が前方に屈曲形成されて作動部６６と当接可能に構成され、上記操作アーム７１の突出側半部の下端部が後方に屈曲形成されて操作部７１ａを構成している。
【００３７】
操作アーム７１を上方揺動操作（切操作）することにより、作動アーム６９が背面視で上流側分割片６４から離間する側（切作動側）に揺動され、作動アーム６９が作動部６６に当接して下流側分割片６３を上流側分割片６４から離間する側にスライドさせ、植付クラッチ５８が切断作動される。一方、操作アーム７１を下方揺動操作（入操作）することにより、作動アーム６９が背面視で上流側分割片６４に近接する側（入作動側）に揺動され、作動アーム６９の作業部６６に対する切作動側への押圧が解除され、圧縮スプリング６７の付勢力によって下流側分割片６３と上流側分割片６４が対向端６３ａ，６４ａ同士で嵌合して植付クラッチ５８が接続作動される。ちなみに、このように下流側分割片６４は圧縮スプリング６７によって植付クラッチ５８を入作動させる側に付勢されているため、操作アーム７１も入操作側である下方揺動側に常時付勢されている。
【００３８】
上記規制機構５９は、筒状部材２９の上面後端部に穿設された上下方向の取付孔（図示しない）に挿通状態で取付固定され筒状部材２９内の天井面側から下方に突出する規制ピン７２と、上述の作動部６６等とにより構成されている。作動部６６の円状周縁部の一部は切抜形成され、切欠き状の規制解除部６６ａを構成している。
【００３９】
そして、側面視で規制ピン７２の位置に規制解除部６６ａが位置していない場合には、操作アーム７１が入操作されても規制ピン７２に作動部６６が当接して上流側分割片６３の切作動側へのスライド移動が規制される規制状態になる一方で、側面視で規制ピン７２の位置に規制解除部６６ａが位置している場合には（図３参照）、操作アーム７１が入操作側に操作されると、作動部６６が規制ピン７２に当接せずに下流側分割片６４が切作動側に変位可能な解除状態になる。くわえて、側面視で規制ピン７２の位置に規制解除部６６ａが位置している際には、植付爪２３が収納姿勢に切換えられるように、植付軸５３が構成されている。すなわち、規制機構５９（規制ピン７２）は、植付爪２３が収納姿勢になっていない場合に植付クラッチ５８の切作動を規制するように構成されている。
【００４０】
上記連係機構６２は、アウターワイヤー７３ａ及びアウターワイヤー７３ａ内を軸方向にスライド移動するインナーワイヤー７３ｂから構成されて操作アーム７１側と操作レバー側とを連結するワイヤー７３と、アウターワイヤー７３ａの操作アーム７１側端部である先端部側を閉塞蓋３１に取付固定する取付ブラケット７４と、インナーワイヤー７３ｂの先端部に取付固定される上下方向の板状の操作ロッド７６と、操作ロッド７６に挿通されて操作ロッド７６の軸方向にスライド移動する上下一対の板状の操作体７７，７７と、操作ロッド７６に軸方向のスライド自在に支持されて上下の対向する操作体７７，７７の間に介在している圧縮スプリング７８とを備えている。
【００４１】
上記操作ロッド７６は操作アーム７１の操作部７１ａに自身の軸方向にスライド自在に挿通された状態で連結されている。操作ロッド７６の上端にはインナーワイヤー７３ｂの先端が連結され、操作アーム７１の操作部７１ａから下方に突出した操作ロッド７６の中途部及び下部には上下一対の係止ピン７６ａ，７６ａが一体的に突設されている。この上下の係止ピン７６ａ，７６ａの間には、上記一対の操作体７７，７７及び圧縮スプリング７８が介在している。圧縮スプリング７８は、一対の操作体７７を常時相互に離間する側に付勢しているため、各操作体７７は、通常、対応する係止ピン７６ａに当接した状態になる。
【００４２】
操作レバーを植付クラッチ５８入作動側に徐々に揺動操作すると、インナーワイヤー７３ｂによって操作ロッド７６が上方に引上げられ、上側の操作体７７が操作アーム７１の操作部７１ａに当接した状態になる。この状態から、操作レバーをさらに植付クラッチ５８入作動側に揺動操作すると、インナーワイヤー７３ｂによって操作ロッド７６がさらに上方に引上げられ、上側の操作体７７の係止ピン７６ａへの当接が解除されて圧縮スプリング７８の弾性力が操作部７１ａに伝えられる状態になり、操作アーム７１が上方揺動され、７１を上方揺動させ、植付クラッチ５８が切作動される。ちなみに、上記規制ピン７２の作用によって、植付爪２３が収納姿勢に切換えられた状態で、植付クラッチ５８が切作動される。一方、植付クラッチ５８入作動側に揺動操作すると、インナーワイヤー７３ｂによる操作ロッド７６の上方引上げが解除され、操作ロッド７６の最下方位置に変位し、操作アーム７１の操作部７１ａと上側の操作体７７とが離間して上述の作用により植付クラッチ５８が入作動される。
【００４３】
すなわち、切換部材６１側に連結されたワイヤー７３の操作レバーによる引操作によって植付クラッチ５８が切作動され、圧縮スプリング７８は、操作レバーによるワイヤー７３の引操作荷重を設定する弾性部材となっており、ワイヤー７３側である操作ロッド７６に設置されている。ちなみに、操作レバーの揺動幅（ストローク）と、操作アーム７１の揺動幅（ストローク）とには差があり、操作レバーの揺動幅の方が大きくなっている。この揺動幅の差が許容すべく、操作ロッド７６が最下方位置に変位した場合における上側の操作体７７と操作アーム７１の操作部７１ａとの間隔が設定されている。
【符号の説明】
【００４４】
１４  横フレーム（支持部材）
１６  苗載せ台
２２  植付ケース
２２  植付爪
２９  筒状部材
２９ａ  開口部
３１  閉塞蓋
５８  植付クラッチ
６１  切換部材
７２  規制ピン
７３  ワイヤー
７８  圧縮スプリング（弾性部材）
【図１】
2010193774.tif 000003
【図２】
2010193774.tif 000004
【図３】
2010193774.tif 000005
【図４】
2010193774.tif 000006
【図５】
2010193774.tif 000007